(57)【要約】      （修正有）【課題】複数部のコピーを行う際に、原稿読み込みミスによる大量のミスコピーを未然に防止し、効率の良いプリントを可能にする画像形成装置、画像形成方法及び画像形成用プログラムを提供する。【解決手段】画像形成装置１００は、画像形成装置１００の基本制御を行う主制御部２０８と、画像を読み込むためのリーダ部２０１と、読み込んだ画像や動作状態や各種メッセージを表示するための表示部２０２と、画像形成済み画像を出力するためのプリンタ部２０４とを備える。リーダ部２０１により読み取られた画像データが表示部２０２に表示され、この画像データの表示中に画像形成の実行／中止が主制御部２０８により決定され、画像形成の実行が決定されたときに、プリンタ部２０４により画像データがシートに形成される。【選択図】      図２
2004350039.tif 000002
【特許請求の範囲】
【請求項１】
原稿の画像データを読み込む画像読込手段と、
前記画像読込手段により読み込まれた原稿の画像データを表示する表示手段と、
前記表示手段による画像データの表示中に画像形成の実行又は中止を決定する決定手段と、
前記決定手段により画像形成の実行が決定されたときに、前記画像読込手段により読み込まれた原稿の画像データをシートに形成する画像形成手段とを備えることを特徴とする画像形成装置。
【請求項２】
さらに、前記画像読込手段により読み込まれた原稿の画像データを蓄積する蓄積手段と、前記蓄積手段に蓄積された画像データを前記蓄積手段から読み出す画像読出手段とを備え、前記表示手段が、前記蓄積手段に蓄積された画像データを表示し、前記決定手段により画像形成の実行が決定されたときに、前記画像形成手段は前記画像読出手段により読み出された画像データをシートに形成することを特徴とする請求項１記載の画像形成装置。
【請求項３】
さらに、前記表示手段で前記画像データを表示する時間を計時する計時手段と、該計時手段の計時結果に基づいて前記表示手段で前記画像データの表示を終了したか否かを判別する第１判別手段とを備えることを特徴とする請求項１又は２記載の画像形成装置。
【請求項４】
前記画像読込手段により読み込まれた画像データの原稿を再度前記画像読込手段で読み込むことを指示する指示手段を備える請求項１乃至３のいずれか１つ記載の画像形成装置。
【請求項５】
ネットワークを介して他の画像形成装置と接続するネットワーク接続手段と、前記画像読込手段により読み込まれた画像データを前記ネットワークに接続された他の画像形成装置に送信する送信手段と、前記ネットワークに接続された他の画像形成装置から画像データを受信する受信手段とを備え、前記受信手段により前記ネットワークに接続された他の画像形成装置から画像データを受信したときに、前記画像形成手段は該受信した画像データをシートに形成することを特徴とする請求項１乃至４のいずれか１つ記載の画像形成装置。
【請求項６】
前記蓄積手段は、前記画像読込手段に読み込まれた原稿の画像データを該原稿のページデータと関連づけて蓄積することを特徴とする請求項１乃至５のいずれか１つ記載の画像形成装置。
【請求項７】
前記ページデータに基づいて前記蓄積手段に蓄積された画像データが前記表示手段により表示されたか否かを判別する第２判別手段を備えることを特徴とする請求項６記載の画像形成装置。
【請求項８】
原稿の画像データを読み込む画像読込工程と、前記画像読込工程により読み込まれた原稿の画像データを表示する表示工程と、前記表示工程で画像データの表示中に画像形成の実行又は中止を決定する決定工程と、前記決定工程で画像形成の実行が決定されたときに、前記画像読込工程で読み込まれた原稿の画像データをシートに形成する画像形成工程とを備えることを特徴とする画像形成方法。
【請求項９】
画像形成装置に組み込まれるコンピュータが実行可能な画像形成用プログラムであって、原稿の画像データを読み込む画像読込ステップと、前記画像読込ステップにより読み込まれた原稿の画像データを表示する表示ステップと、前記表示ステップで画像データの表示中に画像形成の実行又は中止を決定する決定ステップと、前記決定ステップで画像形成の実行が決定されたときに、前記画像読込ステップで読み込まれた原稿の画像データをシートに形成する画像形成ステップとを前記画像形成装置に実行させることを特徴とする画像形成用プログラム。
【発明の詳細な説明】
【０００１】
【発明の属する技術分野】
本発明は、画像を形成する前に、形成される画像の確認を行えるようにした画像形成装置、画像形成方法及び画像形成用プログラムに関する。
【０００２】
【従来の技術】
従来の画像形成装置においては、例えばハードディスク等の画像記憶装置等を備えることで、以前の複写機等のように部数分の画像入力処理を行わず、全ての原稿画像に対する一度の画像入力処理で複数部のプリントが可能な複写機等がある。
【０００３】
また、近年、複写機、プリンタ、ファクシミリなど複数の機能を１台に統合した複合機を複数台接続したり、複数台の複合機やプリンタをネットワーク上に接続し、同一の原稿や文書ファイルを複数の複合機やプリンタから出力するプリンティングシステムも実現されている。
【０００４】
前述のような複写機等では、複数部出力する際には一度一部だけ出力してみて、その仕上がり状態を確認してから、残り部数の出力を開始するプルーフプリント機能を提供する複写機等が増えてきている。このプルーフプリント機能は、デジタル複写機において、画像の読込が正常に行われたか、例えば給紙ミスやスキャナ部の故障等がないかを確認する場合に、ユーザを手助けする手段として提供されている機能である。
【０００５】
また、デジタル複写機では、従来のアナログ複写機などで提供されていた画像形成モードより多くの画像形成モードを提供する。従って、ユーザには、出力束の仕上がりをイメージしにくくなるほどの多数の出力パターンがデジタル複写機より提供されるため、このような場合にユーザを手助けする手段としてプルーフプリント機能が提供されている。
【０００６】
プルーフプリント機能を備える画像形成装置であって、サンプルコピーがＮＧと判断されたときに不良部分を再コピーするものが従来より知られている（例えば、特許文献１参照）。
【０００７】
【特許文献１】
特開平０６−２６６１８８号公報
【０００８】
【発明が解決しようとする課題】
ところで、上述したプルーフプリント機能は、一部だけとはいえ出力することになるので、例えば、複写機において原稿載置台のプラテンガラスが汚れているときには、プルーフプリントした用紙が全て無駄となるおそれがあった。
【０００９】
本発明は、上記の課題を解消するためになされたものであり、複数部のコピーを行う際に、原稿読み込みミスによる大量のミスコピーを未然に防止し、効率の良いプリントを可能にする画像形成装置、画像形成方法及び画像形成用プログラムを提供することを目的とする。
【００１０】
【課題を解決するための手段】
上記目的を達成するため、請求項１記載の画像形成装置は、原稿の画像データを読み込む画像読込手段と、前記画像読込手段により読み込まれた原稿の画像データを表示する表示手段と、前記表示手段による画像データの表示中に画像形成の実行又は中止を決定する決定手段と、前記決定手段により画像形成の実行が決定されたときに、前記画像読込手段により読み込まれた原稿の画像データをシートに形成する画像形成手段とを備えることを特徴とする。
【００１１】
請求項２の画像形成装置は、請求項１記載の画像形成装置において、さらに、前記画像読込手段により読み込まれた原稿の画像データを蓄積する蓄積手段と、前記蓄積手段に蓄積された画像データを前記蓄積手段から読み出す画像読出手段とを備え、前記表示手段が、前記蓄積手段に蓄積された画像データを表示し、前記決定手段により画像形成の実行が決定されたときに、前記画像形成手段は前記画像読出手段により読み出された画像データをシートに形成することを特徴とする。
【００１２】
請求項３の画像形成装置は、請求項１又は２記載の画像形成装置において、さらに、前記表示手段で前記画像データを表示する時間を計時する計時手段と、該計時手段の計時結果に基づいて前記表示手段で前記画像データの表示を終了したか否かを判別する第１判別手段とを備えることを特徴とする。
【００１３】
請求項４の画像形成装置は、請求項１乃至３のいずれか１つ記載の画像形成装置において、前記画像読込手段により読み込まれた画像データの原稿を再度前記画像読込手段で読み込むことを指示する指示手段を備えることを特徴とする。
【００１４】
請求項５の画像形成装置は、請求項１乃至４のいずれか１つ記載の画像形成装置において、ネットワークを介して他の画像形成装置と接続するネットワーク接続手段と、前記画像読込手段により読み込まれた画像データを前記ネットワークに接続された他の画像形成装置に送信する送信手段と、前記ネットワークに接続された他の画像形成装置から画像データを受信する受信手段とを備え、前記受信手段により前記ネットワークに接続された他の画像形成装置から画像データを受信したときに、前記画像形成手段は該受信した画像データをシートに形成することを特徴とする。
【００１５】
請求項６の画像形成装置は、請求項１乃至５のいずれか１つ記載の画像形成装置において、前記蓄積手段は、前記画像読込手段に読み込まれた原稿の画像データを該原稿のページデータと関連づけて蓄積することを特徴とする。
【００１６】
請求項７の画像形成装置は、請求項６記載の画像形成装置において、前記ページデータに基づいて前記蓄積手段に蓄積された画像データが前記表示手段により表示されたか否かを判別する第２判別手段を備えることを特徴とする。
【００１７】
請求項８の画像形成方法は、原稿の画像データを読み込む画像読込工程と、前記画像読込工程により読み込まれた原稿の画像データを表示する表示工程と、前記表示工程で画像データの表示中に画像形成の実行又は中止を決定する決定工程と、前記決定工程で画像形成の実行が決定されたときに、前記画像読込工程で読み込まれた原稿の画像データをシートに形成する画像形成工程とを備えることを特徴とする。
【００１８】
請求項９の画像形成用プログラムは、画像形成装置に組み込まれるコンピュータが実行可能な画像形成用プログラムであって、原稿の画像データを読み込む画像読込ステップと、前記画像読込ステップにより読み込まれた原稿の画像データを表示する表示ステップと、前記表示ステップで画像データの表示中に画像形成の実行又は中止を決定する決定ステップと、前記決定ステップで画像形成の実行が決定されたときに、前記画像読込ステップで読み込まれた原稿の画像データをシートに形成する画像形成ステップとを前記画像形成装置に実行させることを特徴とする。
【００１９】
【発明の実施の形態】
以下、本発明の実施の形態に係る画像形成装置を図面を参照しながら説明する。
【００２０】
図１は、本発明の実施の形態に係る画像形成装置の側断面図である。
【００２１】
同図において、符号１００は画像形成装置であり、符号１８０は自動原稿送り装置（ＡＤＦ）である。
【００２２】
画像形成装置１００は、原稿載置台としてのプラテンガラス１０１と、原稿照明ランプ１０３及び走査ミラー１０４等で構成されるスキャナ１０２とを備えている。
【００２３】
不図示のモータによりスキャナ１０２が所定方向に往復走査されて、原稿の反射光を走査ミラー１０４〜１０６を介してレンズ１０８を透過し、ＣＣＤセンサ１０９に結像する。
【００２４】
符号１２０はレーザ、ポリゴンスキャナ等で構成された露光制御部で、イメージセンサ部（ＣＣＤセンサ）１０９で電気信号に変換され、所定の画像処理が行われた画像信号に基づいて変調されたレーザ光１２９を感光体ドラム１１０に照射する。
【００２５】
感光体ドラム１１０の周りには、画像形成部１２６を構成する、一次帯電器１１２、現像器１２１、転写帯電器１１８、クリーニング装置１１６及び前露光ランプ１１４が装備されている。画像形成部１２６において、感光体ドラム１１０は不図示のモータにより図に示す矢印の方向に回転しており、一次帯電器１１２により所望の電位に帯電された後、露光制御部１２０からのレーザ光１２９が感光体ドラム１１０に照射され、感光体ドラム１１０上に静電潜像が形成される。感光体ドラム１１０上に形成された静電潜像は、現像器１２１により現像されて、トナー像として可視化される。
【００２６】
一方、画像形成装置１００が備える上段カセット１３１又は下段カセット１３２からそれぞれピックアップローラ１３３又はピックアップローラ１３４により給紙された転写紙は、給紙ローラ１３５又は給紙ローラ１３６により経路１６０に送られ、レジストローラ１３７により転写ベルトに給送され、可視化されたトナー像が転写帯電器１１８により転写紙に転写される。
【００２７】
転写後の感光体ドラム１１０は、クリーナー装置１１６により残留トナーが清掃され、前露光ランプ１１４により残留電荷が消去される。転写後の転写紙は、転写ベルト１３０から分離され、定着前帯電器１３９，１４０により転写紙上のトナー画像が再帯電される。その後、転写紙は定着器１４１に送られ、転写紙上のトナー画像が加圧及び加熱により定着され、転写紙は排出ローラ１４２により画像形成装置１００の外に排出される。
【００２８】
画像形成装置１００は、例えば４０００枚の転写紙を収納し得るデッキ１５０を装備している。デッキ１５０のリフタ１５１は給紙ローラ１５２に転写紙が常に当接するように転写紙の量に応じて上昇する。また、デッキ１５０には１００枚の転写紙を収容し得るマルチ手差し１５３が装備されている。
【００２９】
更に、図１において、１５４は排紙フラッパであり、両面記録側、乃至多重記録側と排紙側の経路を切り替える。排紙ローラ１４２から送り出された転写紙は、この排紙フラッパ１５４により両面記録側又は多重記録側の通路に送られる。符号１５８は下搬送パスである。排紙ローラ１４２から送り出された転写紙は、反転パス１５５を介して裏返された状態で再給紙トレイ１５６に導かれる。符号１５７は両面記録と多重記録の経路を切り替える多重フラッパであり、これを左方向に倒すことにより、反転パス１５５を介さず、転写紙を直接下搬送パス１５８に導く。
【００３０】
符号１５９は経路１６０を通じて転写紙を感光体ドラム１１０側に給紙する給紙ローラであり、符号１６１は排紙フラッパ１５４の近傍に配置されて、この排紙フラッパ１５４により排出側に切り替えられた転写紙を機外に排出する排出ローラである。
【００３１】
両面記録（両面複写）や多重記録（多重複写）時には、排紙フラッパ１５４を上方に上げて、複写済みの転写紙を搬送パス１５５，１５８を介して再給紙トレイ１５６に格納する。両面記録時には、多重フラッパ１５７を右方向へ倒し、また多重記録時には、多重フラッパ１５７を左方向へ倒す。
【００３２】
再給紙トレイ１５６に格納されている転写紙は、下から一枚ずつ給紙ローラ１５９により経路１６０を介して本体のレジストローラ１３７に導かれる。
【００３３】
本体から転写紙を反転して排出するときには、排紙フラッパ１５４を上方へ上げ、フラッパ１５７を右方向へ倒し、複写済みの転写紙を搬送パス１５５へ搬送し、転写紙の後端が第１の送りローラ１６２を通過した後に、反転ローラ１６３によって第２の送りローラ１６２ａ側へ搬送し、排出ローラ１６１によって、転写紙を裏返して装置外へ排出する。
【００３４】
符号１９０は、画像形成装置１００から排出した転写紙を揃えて閉じる排紙処理装置である。後述する操作部２０３において、ソート、ステープル等の排紙束後処理動作が設定されなかった場合は、搬送路１９４を通り、処理トレイ１９３を介さず、排紙トレイ１９１に一枚毎に排出される。排紙束後処理動作が設定された場合、搬送路１９５を通り、一枚毎に排出される転写紙を処理トレイ１９３で積載して揃える。一部の画像形成の排出が終了したら、転写紙束をステープルして排紙トレイ１９１、又は排紙トレイ１９２に束で排出する。排紙束後処理動作が設定された場合は、基本的に排紙トレイ１９２に対し束排出するが、満載状態等の条件により排紙トレイ１９１へ切り替える制御を行う。排紙トレイ１９１，１９２は不図示のモータで上下に移動制御され、画像形成動作開始前に積載するトレイが処理トレイの位置になるように移動する。
【００３５】
図２は、画像形成装置１００内の制御系を示すブロック図である。
【００３６】
同図において、符号２０８は、画像形成装置１００の基本制御を行う主制御部（決定手段）であり、制御プログラムや予め種々のデータが書き込まれたＲＯＭ２０９と、動作時の各種処理を行う際に必要となる種々のデータを記憶するためのＲＡＭ２１０と、外部Ｉ／Ｆ部２０５とがアドレスバス及びデータバスによりそれぞれ接続されている。
【００３７】
外部Ｉ／Ｆ部２０５には、画像を読み込むためのリーダ部２０１（画像読込手段）、読み込んだ画像や動作状態や各種メッセージを表示するための表示部２０２（表示手段）、画像形成装置１００の各種操作を行うための操作部２０３、及び形成済み画像を出力するためのプリンタ部２０４（画像形成手段）がそれぞれ接続されている。
【００３８】
主制御部２０８はＲＯＭ２０９の内容に従って外部Ｉ／Ｆ部２０５を介して順次入出力の制御を行い画像形成動作を実行する。また、主制御部２０８は、操作部２０３及び表示部２０２を外部Ｉ／Ｆ部２０５を介して制御する。また、主制御部２０８は、図示しない表示用タイマを備える。
【００３９】
操作者は操作部２０３のキー入力手段を介して、画像形成動作モードや、表示部２０２に表示される内容の切り替えを外部Ｉ／Ｆ部２０５を介して主制御部２０８に指示し、主制御部２０８は画像形成装置１００の状態や、キー入力による動作モード設定の表示を行う。
【００４０】
リーダ部２０１で読み込んだ画像データは、画像処理部２０７にて表示用画像データに変換され、表示部２０２で表示される。操作者が表示用画像データの表示中に操作部２０３のスタートボタンを押下すると、操作部２０３からスタートボタン押下情報が外部Ｉ／Ｆ部２０５を介して主制御部２０８に通知される。主制御部２０８は外部Ｉ／Ｆ部２０５を介して画像データを画像処理部２０７からプリンタ部２０４に送信し、プリンタ部２０４から画像を転写したシートを排出させることができる。
【００４１】
リーダ部２０１で読み込んだ画像データは、画像処理部２０７にて表示用画像データに変換され、表示部２０２で表示されるとともに、画像処理部２０７にて出力用画像データに変換され、画像蓄積部２０６に蓄積される。
【００４２】
画像データを表示部２０２に表示中に、操作部２０３の中止ボタンが押下されると、以後の動作を停止し待機状態になる。
【００４３】
次に、複数枚の原稿をコピーする動作について説明する。
【００４４】
画像データの表示中に操作者がコピーするかどうか判断するためには、表示部２０２は少なくとも１〜２秒間程度画像データを表示している必要がある。この表示時間に関しては、主制御部２０８のデータ設定で変更できる。一方、原稿１枚を読み込む時間は上記表示時間よりも短くてすむ。
【００４５】
そこで、画像形成装置１００内の制御系は以下のような動作を実行する。
【００４６】
リーダ部２０１で読み込んだ画像データは、画像処理部２０７にて出力用画像データに変換され、画像蓄積部２０６に順次蓄積される。主制御部２０８は最初のページの画像データを画像蓄積部２０６から読み込み、表示部２０２に表示させる。尚、１ページ目の画像データを表示している間に２ページ目の画像データの読み込みと蓄積は終了している。
【００４７】
予め設定された表示時間の間に操作部２０３での操作が検出されないときは、主制御部２０８は次のページの画像データを画像蓄積部２０６から読み込み、表示部２０２に表示する。上記一連の動作を繰り返すことで、全原稿の画像データの蓄積が先に終了し、その後も画像データを順次表示させていくことができる。
【００４８】
最終ページの表示が終了するまでに何も操作されなければ、待機状態になり、次の操作が行われるまで待機する。
【００４９】
ここで、操作部２０３のスタートボタンが押下されると、操作部２０３より外部Ｉ／Ｆ部２０５を介して主制御部２０８にスタートボタンが押下された情報が通知される。主制御部２０８は画像蓄積部２０６に蓄積されている画像データを１ページ目から順次読み出し、外部Ｉ／Ｆ部２０５を介してプリンタ部２０４に出力し、プリンタ部２０４から画像を転写したシートを排出させることができる。
【００５０】
尚、画像データを表示部２０２に表示中に、操作部２０３の中止ボタンが押下されると、以後の動作を停止し待機状態になる。
【００５１】
次に、ネットワーク上に複数台の複合機やプリンタが接続されてい場合に、１台の複写機が一旦読み込んだ画像データをキャンセルし、再読込終了後に画像を形成し、画像が形成された画像形成シートを排出する例について説明する。
【００５２】
ネットワーク上に接続された複数台の複合機やプリンタが同一の原稿や文書ファイルを出力する場合の各複写機等でのコピー動作は、１台の複写機でのコピー動作と同様であるので、その説明は省略する。
【００５３】
図３は、画像形成装置１００内の制御系のブロック図であるが、これは図２の画像形成装置にネットワーク接続を可能とするために、通信制御部２１１を付加したものであり、図４は、ネットワーク上に複写機２台、パーソナルコンピュータ１台、ネットワーク対応プリンター２台を接続したときの構成図である。
【００５４】
図５及び図６は、全原稿の読み込みと画像データの蓄積が終了するまでの処理を示すフローチャートである。
【００５５】
コピー機能には様々な動作モードがあり、例えば、一度に複数部のコピーを行ったり、シートの両面に印刷するといった動作モードがあるが、ここでは、複数枚の原稿を複写機で１部、ネットワーク上の他のプリンタで１部出力する例について説明する。
【００５６】
これらの動作モードは原稿を読み込む前に予め操作部２０３にて設定されるが、その設定動作に関しては、既に広く使われている機能であり公知の技術であるため、説明は省略する。
【００５７】
まず、原稿を原稿載置台に置き、操作部２０３上のコピースタートボタンが押下されると、原稿載置台上の最初の原稿がリーダ部２０１に給紙され（ステップＳ５０１）、リーダ部２０１は原稿の画像データを読み込み（ステップＳ５０２）、読み込み終了後、原稿を未読み込みの原稿と区別して原稿載置台に戻す（ステップＳ５０３）。
【００５８】
原稿の給排紙の動作、及び原稿載置台での読み込み済み原稿と未読み込みの原稿とを分離しておく機構等については、同出願人による特開平０５−３０３２４６号公報等にも記載されており、本願の趣旨ではないので、ここではこれらの説明を省略する。
【００５９】
ステップＳ５０２で読み込んだ原稿画像は、画像処理部２０７で画像データに変換され（ステップＳ５０４）、この変換された画像データは画像蓄積部２０６に蓄積され（ステップＳ５０５）、同時にその画像データに対応したページ数も画像蓄積部２０６に記憶される（ステップＳ５０６）。
【００６０】
次に、主制御部２０８は、既に画像蓄積部２０６に蓄積した画像データを表示しているか否かを判別する（ステップＳ５０７）。ここでは、一例として表示用タイマが計測中であれば、表示中として後述するステップＳ５１０に進み、タイマが停止していれば次のページの表示が可能であると判断し、次のページの画像データを表示部２０２に表示し（ステップＳ５０８）、新たに表示用タイマをスタートさせる（ステップＳ５０９）。
【００６１】
次いで、主制御部２０８は、操作部２０３で何らかの操作が行われたか否かを判別し（ステップＳ５１０）、何も操作されていなければステップＳ５１２に進み、操作されていれば後述する操作対応処理を行う（ステップＳ５１１）。
【００６２】
ここで、ステップＳ５１１の操作対応処理について図８に沿って説明する。
【００６３】
図８では、操作部２０３の「スタート」ボタン、「キャンセル」ボタン及び「ストップ」ボタンの各ボタンが押されたときの画像処理装置１００で実行される処理について説明するが、その他の操作についての説明はここでは省略する。
【００６４】
まず、「スタート」ボタンが押下されると（ステップＳ７０１）、画像蓄積部２０６から１ページ目の画像データを読み込み（ステップＳ７０２）、自機での出力が設定されていなけば、後述するステップＳ７０６に進み、自機での出力が設定されていれば画像を形成し転写し（ステップＳ７０４）、プリンタ部２０４から出力排紙する（ステップＳ７０５）。
【００６５】
この「スタート」ボタンは、原稿の読み込みが終了し、全ページの読み込み内容を表示部２０２にて確認し、印刷動作を実行させる際に押下するものである。
【００６６】
次に、ネットワーク上の他のプリンタでの出力が設定されているか否かを判別し（ステップＳ７０６）、設定されていなければステップＳ７０８に進み、設定されていれば画像データを通信制御部２１１を介してネットワーク上のプリンタに出力する（ステップＳ７０７）。
【００６７】
次いで、全ページの画像データの出力が終了したか否かを判別し（ステップＳ７０８）、終了していなければ次のページの画像データを読み込むためにステップＳ７０２に戻り、終了していれば出力動作を終了する。
【００６８】
上記ステップＳ７０１で、「キャンセル」ボタンが押下されたときは、そのとき表示部２０２に表示している画像データのページをＲＡＭ２１０に記憶し（ステップＳ７０９）、本処理を終了する。この「キャンセル」ボタンは、ユーザが表示部２０２に表示されている画像データを確認して、リーダ部２０１での原稿の読み込みにミスがあると判断した場合に、原稿の再読み込みを行うことを指示するボタンである。
【００６９】
上記ステップＳ７０１で「ストップ」ボタンが押下されると、全ての動作を中止して待機状態に戻る。
【００７０】
以上で、図５に示すステップＳ５１１（後述するステップＳ５２５，Ｓ６０６も同じ処理である。）における操作対応処理の説明を終了する。
【００７１】
主制御部２０８は、原稿載置台に未読み込みの原稿があるか否かを判別し（ステップＳ５１２）、未読み込みの原稿があればステップＳ５０１に戻り、次のページの原稿の読み込みを開始する。
【００７２】
ステップＳ５１２の判別の結果、全ての原稿の読み込みが終了していれば、ステップＳ５１３に進む。
【００７３】
次いで、主制御部２０８は、ＲＡＭ２１０に記憶されたページの有無に基づいてそのページの再読み込むを実行する否かを判別し（ステップＳ５１３）、ＲＡＭ２１０に記憶されたページがない場合には、ステップＳ６０１に進む。一方、ＲＡＭ２１０に記憶されたページがある場合には、そのページを再読み込みするため、原稿載置台の原稿を記憶されたページまで送り（ステップＳ５１４）、以後再度原稿を読み込む。
【００７４】
再読込の動作であるステップＳ５１５〜ステップＳ５２６までの処理は、既に説明したステップＳ５０１〜ステップＳ５１１までの処理と同一であるため、ここではその説明を省略する。
【００７５】
ステップＳ５２６の処理後、主制御部２０８は、再度ＲＡＭ２１０に記憶されたページの有無に基づいてそのページの再読み込みを行うか否かを判別し（ステップＳ５２７）、ＲＡＭ２１０に記憶されているページが残っている場合には、再読込のためにステップＳ５１４に戻り、ＲＡＭ２１０に記憶されているページが残っていない場合には、ステップＳ６０１に進む。
【００７６】
以上で、全原稿の読み込みと画像データの蓄積が終了するまでの処理を説明した。
【００７７】
次いで、画像の読み込み時間より画像の表示時間の方が長いことを想定し、読み込み処理が終了した後も画像形成装置１００が未表示の画像データを表示し続ける処理について図７を参照しながら説明する。
【００７８】
まず、主制御部２０８は、上記ステップＳ５０６又はＳ５２０で画像蓄積部２０６に記憶した画像データに対応したページ数が残っているか否かを判別する（ステップＳ６０１）。ここでは、表示すべき画像データが残っているかを判別している。
【００７９】
ステップＳ６０１の判別の結果、画像蓄積部２０６に記憶した画像データに対応したページ数が残っていない場合には、即ち全画像データの表示が終了していると判断された場合には、後述するステップＳ６０５に進む。一方、画像蓄積部２０６に記憶した画像データに対応したページ数が残っている場合には、即ち全画像データの表示が終了していないと判断された場合には、主制御部２０８は、蓄積された画像データを表示しているかを調べるため、表示用タイマが計測中であるか否かを判別し（ステップＳ６０２）、表示用タイマが計測中である場合には、蓄積された画像データの表示中であり、後述するステップＳ６０５に進む。表示用タイマが計測中でない場合には、即ち表示用タイマが停止している場合には、次のページの画像データを表示部２０２に表示し（ステップＳ６０３）、新たに表示用タイマをスタートさせる（ステップＳ６０４）。
【００８０】
次に、主制御部２０８は、操作部２０３において何らかの操作が行われたか否かを判別し（ステップＳ６０５）、何らの操作も行われていない場合には、ステップＳ６０１に戻り、何らかの操作が行われている場合には、上述した図８の操作対応処理を行い（ステップＳ６０６）、最後に全ての処理が終了しているか否かを判別し（ステップＳ６０７）、全ての処理が終了していない場合には、ステップＳ６０１に戻り、終了していれば待機状態に戻る。
【００８１】
上述したように、本実施の形態によれば、読み取られた画像データが表示され、この画像データの表示中に画像形成の実行／中止が決定され、画像形成の実行が決定されたときに、画像データがシートに形成されるので、複数部のコピーを行う際に、原稿読み込みミスによる大量のミスコピーを未然に防止し、効率の良いプリントを可能にする。
【００８２】
尚、上記の説明はあくまで一例を示したものであり、図１〜図４の構成についてはこれらに限定されるものではなく、図５〜図８のフローチャートについてもこれらに限定されるものではない。
【００８３】
本実施の形態に係る画像形成装置は、ネットワークに接続された他の画像形成装置から画像データを受信し、該画像データをシートに出力することができることはいうまでもない。
【００８４】
本発明は、上述した実施の形態の機能を実現するソフトウェアのプログラムをコンピュータ又は制御部（具体的にはＣＰＵ）に供給し、そのコンピュータ又はＣＰＵが該供給されたプログラムを読出して実行することによっても本発明の目的が達成されることは云うまでもない。
【００８５】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００８６】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００８７】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００８８】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【００８９】
【発明の効果】
以上詳細に説明したように、本発明によれば、読み取られた画像データが表示され、この画像データの表示中に画像形成の実行／中止が決定され、画像形成の実行が決定されたときに、画像データをシートに形成するので、複数部のコピーを行う際に、原稿読み込みミスによる大量のミスコピーを未然に防止し、効率の良いプリントを可能にする。
【図面の簡単な説明】
【図１】本発明の実施の形態に係る画像形成装置の側断面図である。
【図２】画像形成装置１００内の制御系を示すブロック図である。
【図３】図３は、画像形成装置１００内の制御系のブロック図であり、図２の画像形成装置１００に通信制御部２１１を付加したものである。
【図４】図４は、ネットワーク上に複写機２台、パーソナルコンピュータ１台、ネットワーク対応プリンター２台を接続したときの構成図である。
【図５】全原稿の読み込みと画像データの蓄積が終了するまでの処理を示すフローチャートである。
【図６】全原稿の読み込みと画像データの蓄積が終了するまでの処理を示すフローチャートである。
【図７】読み込み処理が終了した後も画像形成装置１００が未表示の画像データを表示し続ける処理を示すフローチャートである。
【図８】操作部２０３の「スタート」ボタン、「キャンセル」ボタン及び「ストップ」ボタンの各ボタンが押されたときの画像処理装置１００で実行される処理を示すフローチャートである。
【符号の説明】
２０１  リーダ部
２０２  表示部
２０３  操作部
２０４  プリンタ部
２０５  外部Ｉ／Ｆ部
２０６  画像蓄積部
２０７  画像処理部
２０８  主制御部
２０９  ＲＯＭ
２１０  ＲＡＭ
２１１  通信制御部
【図１】
2004350039.tif 000003
【図２】
2004350039.tif 000004
【図３】
2004350039.tif 000005
【図４】
2004350039.tif 000006
【図５】
2004350039.tif 000007
【図６】
2004350039.tif 000008
【図７】
2004350039.tif 000009
【図８】
2004350039.tif 000010